(57)【要約】【課題】信号記録層が２層構造以上のディスクにおいて個別の識別ＩＤデータが追記できる光ディスクを得る。【解決手段】信号記録層よりレーザー光で信号を読み出すための光反射膜が半透過反射膜３と全反射膜６とからなって２層以上重ねられて構成される光ディスクにおいて、半透過反射膜３の外径が全反射膜６の外径よりも小さく、全反射膜６に使用される反射膜材料が内周部領域と外周部領域とで異なり、内周部領域は信号を記録する反射膜領域７であり、外周部領域は識別ＩＤコードを記録する領域８であり、識別ＩＤコードを記録する領域８が半透過反射膜３に重ならないようにした。【選択図】      図１
2004295988.tif 000002
【特許請求の範囲】
【請求項１】
信号記録層、及び上記信号記録層よりレーザー光で信号を読み出すための光反射膜が半透過反射膜と全反射膜とからなって２層以上重ねられて構成される光ディスクにおいて、
上記半透過反射膜の外径が上記全反射膜の外径よりも小さく、上記全反射膜に使用される反射膜材料が内周部領域と外周部領域とで異ならせ、上記外周部領域の反射膜材料が上記半透過反射膜に重ならないようにしたことを特徴とする光ディスク。
【請求項２】
請求項１記載の光ディスクにおいて、
上記全反射膜の上記内周部領域は信号が記録される領域であり、上記外周部領域は個別の識別コードが追記できる領域であることを特徴とする光ディスク。
【請求項３】
信号記録層、及び上記信号記録層よりレーザー光で信号を読み出すための光反射膜が半透過反射膜と全反射膜とからなって２層以上重ねられて構成される光ディスクにおいて、
上記半透過反射膜の内径が上記全反射膜の内径よりも大きく、上記全反射膜に使用される反射膜材料が内周部領域と外周部領域とで異ならせ、上記内周部領域の反射膜材料が上記半透過反射膜に重ならないようにしたことを特徴とする光ディスク。
【請求項４】
請求項３記載の光ディスクにおいて、
上記全反射膜の上記外周部領域は信号が記録される領域であり、上記内周部領域は個別の識別コードが追記できる領域であることを特徴とする光ディスク。
【請求項５】
信号記録層、及び上記信号記録層よりレーザー光で信号を読み出すための光反射膜が一層からなる光ディスクにおいて、
上記光反射膜に使用される反射膜材料が外周部領域と内周部領域とで異なっていることを特徴とする光ディスク。
【請求項６】
請求項５記載の光ディスクにおいて、
上記一方の領域が信号が記録される領域であり、他方の領域が個別の識別コードが追記できる領域であることを特徴とする光ディスク。
【発明の詳細な説明】
【０００１】
【発明の属する技術分野】
本発明は、光ディスク一枚毎に個別情報を記録できるようにした光ディスクに関し、詳しくは、例えばＤＶＤ等のように信号記録層が２層構造の光ディスク一枚毎に個別情報の追加記録（以下、追記という）や読み出しを行えるようにしたことによって二重アクセスによるディスクの記録情報のコピー等を防止するようにしたものである。
【０００２】
【従来の技術】
近年、読み出し専用の信号記録層が一層構造のディスクであるＣＤやＣＤ−ＲＯＭの光ディスクにおいて、ディスク一枚毎に個別情報（ＩＤデータ＝Ｉｎｄｅｎｔｉｆｉｃａｔｉｏｎデータ、以下ＩＤデータという）を追記できる技術が開発されている。このＩＤデータはディスク生産工場でディスクへの記録情報のスタンピング後にＣＤやＣＤ−ＲＯＭの規格に定められた領域に追記され、例えば、ディスク一枚毎にタイトルナンバーやシリアルナンバー等を記録することにより、ユーザー登録や正規ユーザーの識別／認証、二重アクセスの防止や暗号キーの配布等、ユーザー一人一人に特化したサービスの提供が可能になっている。また、このＩＤデータは市販されている殆どのＣＤやＣＤ−ＲＯＭ対応のドライブ装置で読み出しが可能になっている。
【０００３】
また、光ディスクへのＩＤデータの追記は特殊反射膜材料からなるアルミニウム系反射膜に高出力のレーザー光を照射し反射膜面を焼成することによって反射膜面を微妙に変化させ記録するようにしている。このため、用いられる反射膜材料は特殊なアルミニウム系材料が使用されることがある。
【０００４】
【特許文献１】
特開平８−２９７８６５号公報
【０００５】
【特許文献２】
特開２００２−８２７１号公報
【０００６】
【発明が解決しようとする課題】
ところで、上述した特殊反射膜材料を使用したアルミニウム系反射膜を信号記録層の構造が通常のＣＤやＣＤ−ＲＯＭのように信号記録層が一層構造のディスクに使用した場合には反射膜の反射率は規定の範囲であるが、例えば、ＤＶＤやＳＡＣＤ（スーパーオーディオＣＤ）等のように信号記録層が２層構造のディスクに使用した場合には、半透過反射膜を透過することによる光の減衰のために反射率が規定範囲に達しなくなり、従って、全反射膜に個別の識別ＩＤデータを追記できるアルミニウム系反射膜を使用することはできない。このアルミニウム系反射膜はその特性上、半透過反射膜としては使用できず、全反射膜として使用されることになる。このため、ＤＶＤやＳＡＣＤのような信号記録層が２層構造の光ディスクでも、信号記録層が通常の一層構造の光ディスクであるＣＤやＣＤ−ＲＯＭで実用化されているような個別の識別ＩＤデータが追記できる光ディスクを実用化する技術が必要となってきている。
【０００７】
また、光ディスクへ個別の識別ＩＤデータが追記できるようにされた信号記録層が一層構造の読み出し専用のＣＤやＣＤ−ＲＯＭに適用した場合、ディスク全面の反射膜が特殊反射膜材料からなるアルミニウム系反射膜で成膜されることになるため、通常のＣＤやＣＤ−ＲＯＭに比べてコストアップとなるといった問題がある。
【０００８】
尚、〔特許文献１〕には両面記録型の光ディスク媒体であって、一方の光ディスクの反射膜の内径と、他方の光ディスクの反射膜の内径とが異なるようにした技術が記載されている。また、〔特許文献２〕には反射膜を異なる成膜条件で積層構造にした光ディスクの技術が記載さている。
【０００９】
本発明は、上述したような課題を解消するためになされたもので、信号記録層が２層構造以上のディスクにおいて個別の識別ＩＤデータが追記できる光ディスクを得ることを目的とする。
【００１０】
また、本発明は、１層構造のディスクにおいて、個別の識別ＩＤデータが追記できるようにした光ディスクを安価に提供できるようにした光ディスクを得ることを目的とする。
【００１１】
【課題を解決するための手段】
上述の目的を達成するため本発明による光ディスクは、信号記録層よりレーザー光で信号を読み出すための光反射膜が半透過反射膜と全反射膜とからなって２層以上重ねられて構成される光ディスクにおいて、半透過反射膜の外径が全反射膜の外径よりも小さく、全反射膜に使用される反射膜材料が内周部領域と外周部領域とで異ならせ、外周部領域の反射膜材料が半透過反射膜に重ならないようにしたものである。
【００１２】
上述した光ディスクの実施の形態は、全反射膜の内周部領域は信号が記録される領域であり、外周部領域は個別の識別コードが追記できる領域にしたものである。
【００１３】
また、本発明による別の光ディスクは、信号記録層よりレーザー光で信号を読み出すための光反射膜が半透過反射膜と全反射膜とからなって２層以上重ねられて構成される光ディスクにおいて、半透過反射膜の内径が全反射膜の内径よりも大きく、全反射膜に使用される反射膜材料が内周部領域と外周部領域とで異ならせ、内周部領域の反射膜材料が半透過反射膜に重ならないようにしたものである。
【００１４】
上述した光ディスクの実施の形態は、全反射膜の外周部領域は信号が記録される領域であり、内周部領域は個別の識別コードが追記できる領域にしたものである。
【００１５】
このように構成したことによって、個別の識別コードが追記できる領域には半透過反射膜が重ならないようにしてあるので、レーザー光が半透過反射膜を透過することなく、識別コードが追記できる領域に直接識別コードを追記したり、あるいは識別コードを読み取ることができるというものである。
【００１６】
さらに、本発明による別の光ディスクは、信号記録層よりレーザー光で信号を読み出すための光反射膜が一層構造からなる光ディスクにおいて、光反射膜に使用される反射膜材料が外周部領域と内周部領域とで異なるようにしたものである。
【００１７】
上述した光ディスクの実施の形態は、一方の領域が信号が記録される領域であり、他方の領域が個別の識別コードが追記できる領域としたものである。
【００１８】
このように構成したことによって、個別の識別コードが追記できる領域の反射膜材料を節減でき、高価であった反射膜材料費のコストダウンが可能となる。
【００１９】
【発明の実施の形態】
以下、本発明による光ディスクの幾つかの実施の形態を図面を参照して説明する。
【００２０】
〔第１の実施形態〕
図１は信号記録層が２層構造式で代表されるＤＶＤの光ディスクをその厚みを誇張して示した断面図である。
【００２１】
矢印で示したレーザー光の照射側にはレーザー光を透過するポリカーボネート（ＰＣ）からなる第１のディスク基板１があり、この第１のディスク基板１の裏面側（内面側）に当該ディスク基板１の全面に亘って第１の信号記録層２がある。そして、第１の信号記録層２の裏面側にレーザー光の一部を透過する半透過反射膜３がある。この半透過反射膜３の領域については後述する。
【００２２】
一方、レーザー光の照射側とは反対側にはポリカーボネート（ＰＣ）からなる第２のディスク基板４があり、この第２のディスク基板４の裏面側（内面側）に第２の信号記録層５がある。そして、第２の信号記録層５の裏面側にはレーザー光を全反射する全反射膜６がある。
【００２３】
ここで、全反射膜６はその同一層面に内周部領域と外周部領域とで異なるアルミニウム系の反射膜材料が使用される。内周部領域はスタンピングにより形成したピットを利用して信号を記録する反射膜領域７であり、反射膜の材質としてはアルミニウムや銀、金等の元素を主成分としたものである。
【００２４】
また、外周部領域はアルミニウム系反射膜にレーザー光を照射し、反射膜面を焼成することで個別の識別ＩＤコードを記録する反射膜領域８であり、反射膜の材質としてはアルミニウムに他の元素成分を含む合金からなっている。このアルミニウム系の反射膜はその特性上、半透過反射膜としては使用できず、全反射膜として使用することになる。
【００２５】
また、同一層面に異なる材質の反射膜領域を作成する方法としては、最初に信号を記録する反射膜領域７の材質の反射膜を付ける領域以外をマスクで覆って成膜（スパッタリング）し、次に識別ＩＤコードを記録する反射膜領域８の材質の反射膜を付ける領域以外をマスクで覆って成膜する方法である。また、成膜する方法は上述の場合と逆の順序であってもよい。
【００２６】
また、別の方法としては、スパッタリング用の材料（ターゲット）を成膜する領域に対応させて反射膜領域７の反射膜と反射膜領域８の反射膜を組み合わせ行えば領域毎にマスクする必要がなく成膜することができる。
【００２７】
上述のように第１のディスク基板１側と第２のディスク基板４側とを製作し、両ディスク基板１，４をそれぞれの反射膜側を内面側にして接着層９（透明層）を介して接着し重合することにより信号記録面が２層構造の光ディスクが製作される。尚、符号１０は光ディスクのセンター孔である。
【００２８】
ここで、第１のディスク基板１側の半透過反射膜３と、第２のディスク基板４側の全反射膜６との位置関係について説明する。半透過反射膜３の外径は全反射膜６の外径よりも小さくされ、半透過反射膜３は全反射膜６の内周部領域である信号を記録する反射膜領域７の外径と同一外径であって、全反射膜６の外周部領域の個別の識別ＩＤコードを記録する反射膜領域８が半透過反射膜３に重ならないようにされている。すなわち、レーザー光の照射方向から見て半透過反射膜３と全反射膜６の信号を記録する反射膜領域７とは同一外径の２層構造であるのに対して、個別の識別ＩＤコードを記録する反射膜領域８は半透過反射膜３に重なることなく、反射膜領域８にはレーザー光が減衰されることなく直接照射されるようになっている。
【００２９】
このように第１の実施形態による光ディスクは信号記録層が２層構造の光ディスクにおいても、通常の一層構造のＣＤ−ＲＯＭで実施されているようなディスク外周側にある個別の識別ＩＤコードを記録したり、読み出しを可能にした光ディスクを実現することができる。
【００３０】
〔第２の実施形態〕
図２は第１の実施形態の変形例であって、同一部分には同じ符号を付して説明する。この場合は全反射膜６の外周部領域には信号を記録する反射膜領域７ａがあり、全反射膜６の内周部領域に個別の識別ＩＤコードを記録する反射膜領域８ａが同一層面にある例である。
【００３１】
従って、この場合、半透過反射膜３ａの内径は全反射膜６の内径よりも大きくされ、半透過反射膜３ａは全反射膜６の外周部領域である信号を記録する反射膜領域７ａの内径と同一内径であって、全反射膜６の内周部領域の個別の識別ＩＤコードを記録する反射膜領域８ａが半透過反射膜３ａに重ならないようにされている。すなわち、レーザー光の照射方向から見て半透過反射膜３ａと全反射膜６の信号を記録する反射膜領域７ａとは同一内径の２層構造であるのに対して、個別の識別ＩＤコードを記録する反射膜領域８ａは半透過反射膜３ａに重なることなく、反射膜領域８ａにはレーザー光が減衰されることなく直接照射されるようになっている。
【００３２】
このように第２の実施形態による光ディスクは信号記録層が２層構造の光ディスクにおいても、通常の一層構造のＣＤ−ＲＯＭで実施されているような個別の識別ＩＤコードを記録したり、読み出しを可能にした光ディスクを実現することができる。
【００３３】
〔第３の実施形態〕
図３は信号記録層が２層構造のＳＡＣＤ（スーパーオーディオＣＤ）の例であり、光ディスクをその厚みを誇張して示した断面図であり、同一部分には同じ符号を付して説明する。
【００３４】
この場合、第１のディスク基板１と第１の信号記録層２及び半透過反射膜３については第１の実施形態の構造と同様であるが、半透過反射膜３の裏面側に接着層９を介して第２のディスク基板１１が接着し重合され、この第２のディスク基板１１の表面側に第２の信号記録層１２があり、第２の信号記録層１２の表面側に同一層面上に内周部領域と外周部領域とで異なるアルミニウム系の反射膜材料からなる全反射膜１３がある。全反射膜１３の内周部領域は信号を記録する反射膜領域１４であり、全反射膜１３の外周部領域は個別の識別ＩＤコードを記録する反射膜領域１５である。そして、全反射膜１３の表面は保護膜１６で保護されている。
【００３５】
そして、半透過反射膜３の外径は全反射膜１３の外径よりも小さくされ、半透過反射膜３は全反射膜１３の内周部領域である信号を記録する反射膜領域１４の外径と同一外径であって、全反射膜１３の外周部領域の個別の識別ＩＤコードを記録する反射膜領域１５が半透過反射膜３に重ならないようにされている。すなわち、レーザー光の照射方向から見て半透過反射膜３と全反射膜１３の信号を記録する反射膜領域１４とは同一外径の２層構造であるのに対して、個別の識別ＩＤコードを記録する反射膜領域１５は半透過反射膜３に重なることなく、反射膜領域１５にはレーザー光が減衰されることなく直接照射されるようになっている。
【００３６】
このように第３の実施形態による光ディスクは、信号記録層が２層構造のＳＡＣＤ（スーパーオーディオＣＤ）においても、ディスク外周側の反射膜領域１５に個別の識別ＩＤコードを記録したり、読み出しを可能にしたＳＡＣＤの光ディスクを実現することができる。
【００３７】
尚、第３の実施形態による光ディスクの場合でも、全反射膜１３の所定範囲の内周部領域側に個別の識別ＩＤコードを記録する反射膜領域を設け、全反射膜１３の外周部領域に信号を記録する反射膜領域を設けることであってもよい。
【００３８】
〔第４の実施形態〕
図４は信号記録層が一層構造のＣＤやＣＤ−ＲＯＭの光ディスクに適用した光ディスクの例でその厚みを誇張して示した断面図である。
【００３９】
透明なポリカーボネート（ＰＣ）からなるディスク基板１７の表面側には信号記録層１８があり、この信号記録層１８の上に同一層面上に内周部領域と外周部領域とで異なるアルミニウム系の反射膜材料からなる全反射膜１９がある。全反射膜１９の内周部領域は信号を記録する反射膜領域２０であり、全反射膜１９の外周部領域は個別の識別ＩＤコードを記録する反射膜領域２１である。そして、全反射膜１９の表面は保護膜２２で保護されている。尚、符号２３はディスクのセンター孔である。
【００４０】
ここで、全反射膜１９の内周部領域の信号を記録する反射膜領域２０の反射膜材質は、通常のＣＤやＣＤ−ＲＯＭの反射膜に使用されるアルミニウム反射膜が用いられ、外周部領域は個別の識別ＩＤコードを記録する反射膜領域２１の反射膜材質は、反射膜面を焼成することで記録を可能にするアルミニウム系反射膜が使用される。
【００４１】
尚、第４の実施形態による光ディスクの場合でも、全反射膜１９の所定範囲の内周部領域側に個別の識別ＩＤコードを記録する反射膜領域を設け、全反射膜１９の外周部領域に信号を記録する反射膜領域を設けることであってもよい。
【００４２】
このように第４の実施形態による光ディスクは、現在反射膜全体に反射膜面を焼成することで記録を可能にする材質を使用しているのに比べてその使用量を少なくすることができるので、反射膜材料費のコストダウンを図ることができる。
【００４３】
本発明は、上述しかつ図面に示した実施の形態に限定されるものでなく、その要旨を逸脱しない範囲内で種々の変形実施が可能である。
【００４４】
第１の実施形態及び第２の実施形態では、光ディスクがＤＶＤの場合について説明したが、信号記録層が２層構造のものであればその他の光ディスクにも広く適用可能であり、また、信号記録層が２層構造以上の光ディスクにも適用可能である。
【００４５】
【発明の効果】
以上説明したように本発明による光ディスクは、信号記録層よりレーザー光で信号を読み出すための光反射膜が半透過反射膜と全反射膜とからなって２層以上重ねられて構成される光ディスクにおいて、半透過反射膜の外径が全反射膜の外径よりも小さく、全反射膜に使用される反射膜材料が内周部領域と外周部領域とで異ならせ、外周部領域の反射膜材料が半透過反射膜に重ならないようにしたことで、信号記録層が２層以上でディスク生産後の光ディスクに対して、レーザー光が半透過反射膜を透過することなく外周部領域の反射膜材料に直接照射でき、外周部領域への識別情報の追記あるいは追記された識別情報の読み出しを行うことができるといった効果がある。
【００４６】
上述した光ディスクの実施の形態によれば、全反射膜の内周部領域を信号が記録される領域とし、外周部領域を個別の識別コードが追記できる領域としたことで、ディスク生産後の光ディスクに対して、外周部領域の反射膜材料に個別の識別コードの追記あるいは追記された識別コードの読み出しを行うことができる。
【００４７】
また、本発明による別の光ディスクは、信号記録層よりレーザー光で信号を読み出すための光反射膜が半透過反射膜と全反射膜とからなって２層以上重ねられて構成される光ディスクにおいて、半透過反射膜の内径が全反射膜の内径よりも大きく、全反射膜に使用される反射膜材料が内周部領域と外周部領域とで異ならせ、内周部領域の反射膜材料が半透過反射膜に重ならないようにしたことで、信号記録層が２層以上でディスク生産後の光ディスクに対して、レーザー光が半透過反射膜を透過することなく内周部領域の反射膜材料に直接照射でき、内周部領域への識別情報の追記あるいは追記された識別情報の読み出しを行うことができる。
【００４８】
上述した光ディスクの実施の形態によれば、全反射膜の外周部領域を信号が記録される領域とし、内周部領域を個別の識別コードが追記できる領域としたことで、ディスク生産後の光ディスクに対して、内周部領域の反射膜材料に個別の識別コードの追記あるいは追記された識別コードの読み出しを行うことができる。
【００４９】
さらに、本発明による別の光ディスクは、信号記録層よりレーザー光で信号を読み出すための光反射膜が一層構造からなる光ディスクにおいて、光反射膜に使用される反射膜材料が外周部領域と内周部領域とで異なるようにし、例えば、一方の領域が信号が記録される領域であり、他方の領域が個別の識別コードが追記できる領域である場合、個別の識別コードが追記できる領域の反射膜材料を節減でき、高価であった反射膜材料費のコストダウンを図ることができる。
【図面の簡単な説明】
【図１】本発明による信号記録層が２層構造の光ディスクを厚みを誇張して示した断面図である。
【図２】同じく信号記録層が２層構造の別の例の光ディスクを厚みを誇張して示した断面図である。
【図３】同じく信号記録層が２層構造のＳＡＣＤの光ディスクを厚みを誇張して示した断面図である。
【図４】同じく信号記録層が一層構造の光ディスクを厚みを誇張して示した断面図である。
【符号の説明】
１…第１のディスク基板、２…第１の信号記録層、３…半透過反射膜、４…第２のディスク基板、５…第２の信号記録層、６…全反射膜、７，７ａ…信号を記録する反射膜領域、８，８ａ…識別ＩＤコードを記録する反射膜領域、９…接着層（透明層）、１１…第２のディスク基板、１２…第２の信号記録層、１３…全反射膜、１４…信号を記録する反射膜領域、１５…識別ＩＤコードを記録する反射膜領域、１６…保護膜、１７…ディスク基板、１８…信号記録層、１９…全反射膜、２０…信号を記録する反射膜領域、２１…識別ＩＤコードを記録する反射膜領域
【図１】
2004295988.tif 000003
【図２】
2004295988.tif 000004
【図３】
2004295988.tif 000005
【図４】
2004295988.tif 000006